(57)【要約】【課題】中継局を介して電子機器の無線通信設定を効率的に行うこと、特に、複数台の電子機器についての初期設定作業を効率的に行うことである。【解決手段】中継局を介して複数の電子機器に対して無線通信設定を行う通信設定装置が、前記各電子機器の運用設定情報および初期設定情報を記憶する記憶部と、前記各電子機器の初期設定情報を読み取る読取部と、前記読取部及び前記記憶部による前記初期設定情報の読込処理の実行が開始されると処理を開始し、前記各電子機器について、順次、前記読込処理が実行された初期設定情報を前記中継局に設定して前記中継局を介して無線通信により当該電子機器にアクセスし、前記記憶部に記憶される当該電子機器の前記運用設定情報を当該電子機器に設定する設定処理を実行する設定部と、を有する。【選択図】  図２
2015056778.tif 000002
【特許請求の範囲】
【請求項１】
中継局を介して複数の電子機器に対して無線通信設定を行う通信設定装置であって、
前記各電子機器の運用設定情報および初期設定情報を記憶する記憶部と、
前記各電子機器の初期設定情報を読み取る読取部と、
前記読取部及び前記記憶部による前記初期設定情報の読込処理の実行が開始されると処理を開始し、前記各電子機器について、順次、前記読込処理が実行された初期設定情報を前記中継局に設定して前記中継局を介して無線通信により当該電子機器にアクセスし、前記記憶部に記憶される当該電子機器の前記運用設定情報を当該電子機器に設定する設定処理を実行する設定部と、を有する
ことを特徴とする通信設定装置。
【請求項２】
請求項１において、
前記設定部は、所定数の前記電子機器について前記設定処理を実行した後に、前記所定数の各電子機器について、順次、前記中継局を介してテスト処理を実行する
ことを特徴とする通信設定装置。
【請求項３】
請求項２において、
前記設定部は、前記テスト処理の際に、当該処理の対象である前記電子機器の前記運用設定情報と、一つ前の前記テスト処理の対象であった前記電子機器の前記運用設定情報とが同じであれば、前記中継局に対する設定処理を行わない
ことを特徴とする通信設定装置。
【請求項４】
請求項３において、
前記設定部は、前記テスト処理を、同じ前記運用設定情報の前記電子機器が連続して処理される順番で実行する
ことを特徴とする通信設定装置。
【請求項５】
請求項１乃至４のいずれか一項において、
前記読取部は、バーコードで表された前記初期設定情報を読み取る
ことを特徴とする通信設定装置。
【請求項６】
請求項１乃至５のいずれか一項において、
前記初期設定情報は、前記電子機器毎に固有の情報である
ことを特徴とする通信設定装置。
【請求項７】
請求項１乃至６のいずれか一項において、更に、
前記無線通信設定の処理について進捗状況を報知する報知部を有する
ことを特徴とする通信設定装置。
【請求項８】
中継局を介して複数の電子機器に対して無線通信設定を行うコンピューターに通信設定処理を実行させる通信設定プログラムであって、
前記コンピューターに前記各電子機器の運用設定情報が記録され、
前記各電子機器の初期設定情報を読み込んで記憶する読込工程と、
前記読込工程が開始されると開始し、前記各電子機器について、順次、前記読込工程が実行された初期設定情報を前記中継局に設定して前記中継局を介して無線通信により当該電子機器にアクセスし、前記記憶される当該電子機器の前記運用設定情報を当該電子機器に設定する設定工程と、を前記コンピューターに実行させる
ことを特徴とする通信設定プログラム。
【請求項９】
中継局を介して複数の電子機器に対して無線通信設定を行う通信設定装置における通信設定方法であって、
前記各電子機器の運用設定情報が記憶され、
前記各電子機器の初期設定情報を読み込んで記録する読込工程と、
前記読込工程が開始されると、前記各電子機器について、順次、前記読込工程が実行された初期設定情報を前記中継局に設定して前記中継局を介して無線通信により当該電子機器にアクセスし、前記記録される当該電子機器の前記運用設定情報を当該電子機器に設定する設定工程と、を有する
ことを特徴とする通信設定方法。
【請求項１０】
複数の電子機器と、中継局を介して前記電子機器に対して無線通信設定を行う通信設定装置を有する設定システムであって、
前記通信設定装置は、
前記各電子機器の運用設定情報及び初期設定情報を記憶する記憶部と、
前記各電子機器の初期設定情報を読み取る読取部と、
前記読取部および前記記憶部による前記初期設定情報の読込処理の実行が開始されると処理を開始し、前記各電子機器について、順次、前記読込処理が実行された初期設定情報を前記中継局に設定して前記中継局を介して無線通信により当該電子機器にアクセスし、前記記憶部に記憶される当該電子機器の前記運用設定情報を当該電子機器に設定する設定処理を実行する設定部と、を備え、
前記各電子機器は、前記初期設定情報を掲示する掲示部を備える
ことを特徴とする設定システム。
【発明の詳細な説明】
【技術分野】
【０００１】
本発明は、中継局を介して電子機器の無線通信設定を行う技術に関し、特に、初期設定作業を効率的に行うことができる通信設定装置、通信設定プログラム、通信設定方法、及び設定システム等に関する。
【背景技術】
【０００２】
近年、無線ＬＡＮ（Ｌｏｃａｌ  Ａｒｅａ  Ｎｅｔｗｏｒｋ）が普及し、多くの場所において電子機器が無線通信で情報を交換して運用されている。インフラストラクチャー方式と呼ばれる無線ネットワークでは、中継局であるアクセスポイントを介して複数の電子機器が集中接続される構成がとられている。
【０００３】
かかる環境において、無線通信のインターフェースのみを備える電子機器を通信可能に設定する場合、まず、その電子機器に設定されている初期設定値（ＳＳＩＤ（Ｓｅｒｖｉｃｅ  Ｓｅｔ  ＩＤ）等）をアクセスポイントに設定する作業を行う。その結果、当該電子機器とアクセスポイントを介して無線による通信が可能となるので、使用する環境における設定値をアクセスポイントを介してその電子機器に設定する。当該設定により、アクセスポイントを介した通信が切断されるので、再度、アクセスポイントの設定をその環境に合ったものに戻す作業を行う。
【０００４】
このように、設定は比較的手間がかかる作業であるため、例えば、下記特許文献１及び２に記載されるように、従来、いくつかの改善技術が提案されている。
【０００５】
また、比較的大きな店舗やオフィスの開設時などにおいては、上述した電子機器の無線設定を多数の機器に対して行う必要があり、この場合、電子機器の設置前に全ての電子機器の無線設定作業をまとめて行うようにすることがある。例えば、ＰＯＳ（Ｐｏｉｎｔ  ｏｆ  Ｓａｌｅｓ）システムを導入する店舗における複数のプリンターに対する無線通信設定などが行われる。
【先行技術文献】
【特許文献】
【０００６】
【特許文献１】特開２００３−１４３１５６号公報
【特許文献２】特開２０１３−８５０５０号公報
【発明の概要】
【発明が解決しようとする課題】
【０００７】
しかしながら、上述した複数の電子機器の無線設定を一度に行う場合に特化した、効率的な設定作業方法については従来提案されておらず、そのような作業を容易に行うことのできる方法が望まれている。
【０００８】
そこで、本発明は、中継局を介して電子機器の無線通信設定を効率的に行うこと、特に、複数台の電子機器についての初期設定作業を効率的に行うことを目的とする。
【課題を解決するための手段】
【０００９】
上記の目的を達成するために、本発明の一つの側面は、中継局を介して複数の電子機器に対して無線通信設定を行う通信設定装置が、前記各電子機器の運用設定情報および初期設定情報を記憶する記憶部と、前記各電子機器の初期設定情報を読み取る読取部と、前記読取部及び前記記憶部による前記初期設定情報の読込処理の実行が開始されると処理を開
始し、前記各電子機器について、順次、前記読込処理が実行された初期設定情報を前記中継局に設定して前記中継局を介して無線通信により当該電子機器にアクセスし、前記記憶部に記憶される当該電子機器の前記運用設定情報を当該電子機器に設定する設定処理を実行する設定部と、を有する、ことである。
【００１０】
更に、上記の発明において、その好ましい態様は、前記設定部は、所定数の前記電子機器について前記設定処理を実行した後に、前記所定数の各電子機器について、順次、前記中継局を介してテスト処理を実行する、ことを特徴とする。
【００１１】
更に、上記の発明において、好ましい態様は、前記設定部は、前記テスト処理の際に、当該処理の対象である前記電子機器の前記運用設定情報と、一つ前の前記テスト処理の対象であった前記電子機器の前記運用設定情報とが同じであれば、前記中継局に対する設定処理を行わない、ことを特徴とする。
【００１２】
更にまた、上記の発明において、その好ましい態様は、前記設定部は、前記テスト処理を、同じ前記運用設定情報の前記電子機器が連続して処理される順番で実行する、ことを特徴とする。
【００１３】
また、上記の発明において、一つの好ましい態様は、前記読取部は、バーコードで表された前記初期設定情報を読み取る、ことを特徴とする。
【００１４】
更にまた、上記の発明において、好ましい態様は、前記初期設定情報は、前記電子機器毎に固有の情報である、ことを特徴とする。
【００１５】
また、上記の発明において、好ましい態様は、更に、前記無線通信設定の処理について進捗状況を報知する報知部を有する、ことを特徴とする。
【００１６】
上記の目的を達成するために、本発明の別の側面は、中継局を介して複数の電子機器に対して無線通信設定を行うコンピューターに通信設定処理を実行させる通信設定プログラムにおいて、前記コンピューターに前記各電子機器の運用設定情報が記録され、前記各電子機器の初期設定情報を読み込んで記憶する読込工程と、前記読込工程が開始されると開始し、前記各電子機器について、順次、前記読込工程が実行された初期設定情報を前記中継局に設定して前記中継局を介して無線通信により当該電子機器にアクセスし、前記記憶される当該電子機器の前記運用設定情報を当該電子機器に設定する設定工程と、を前記コンピューターに実行させる、ことである。
【００１７】
上記の目的を達成するために、本発明の更に別の側面は、中継局を介して複数の電子機器に対して無線通信設定を行う通信設定装置における通信設定方法において、前記各電子機器の運用設定情報が記憶され、前記各電子機器の初期設定情報を読み込んで記録する読込工程と、前記読込工程が開始されると、前記各電子機器について、順次、前記読込工程が実行された初期設定情報を前記中継局に設定して前記中継局を介して無線通信により当該電子機器にアクセスし、前記記録される当該電子機器の前記運用設定情報を当該電子機器に設定する設定工程と、を有する、ことである。
【００１８】
上記の目的を達成するために、本発明の更に別の側面は、複数の電子機器と、中継局を介して前記電子機器に対して無線通信設定を行う通信設定装置を有する設定システムにおいて、前記通信設定装置は、前記各電子機器の運用設定情報及び初期設定情報を記憶する記憶部と、前記各電子機器の初期設定情報を読み取る読取部と、前記読取部および前記記憶部による前記初期設定情報の読込処理の実行が開始されると処理を開始し、前記各電子機器について、順次、前記読込処理が実行された初期設定情報を前記中継局に設定して前
記中継局を介して無線通信により当該電子機器にアクセスし、前記記憶部に記憶される当該電子機器の前記運用設定情報を当該電子機器に設定する設定処理を実行する設定部と、を備え、前記各電子機器は、前記初期設定情報を掲示する掲示部を備える、ことである。
【００１９】
本発明の更なる目的及び、特徴は、以下に説明する発明の実施の形態から明らかになる。
【図面の簡単な説明】
【００２０】
【図１】本発明を適用した通信設定装置及び設定システムの実施の形態例に係る全体構成図である。
【図２】設定システム１００の機能構成図を例示した図である。
【図３】記録部１１に記憶される設定情報を例示した図である。
【図４】記録部１１に記憶されるプリンター３の初期設定を例示した図である。
【図５】２機種のプリンター３の処理前の状態を説明するための図である。
【図６】設置後の無線通信環境について示した図である。
【図７】設定処理の手順を例示したフローチャートである。
【図８】報知部１４によって表示される内容を例示した図である。
【図９】報知部１４によって表示される内容を例示した図である。
【発明を実施するための形態】
【００２１】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００２２】
図１は、本発明を適用した通信設定装置及び設定システムの実施の形態例に係る全体構成図である。図１に示す設定装置１が本発明を適用した通信設定装置であり、プリンター３などの複数の無線デバイスに対し無線ＡＰ２を介して通信設定の処理を行う。当該設定装置１では、２次元バーコードなどで表現された各無線デバイスの初期通信設定（情報）を、順次、読み込んでいく処理を開始すると、その読込処理が終了する前に、読込処理が終了した無線デバイスから順番に運用時の通信設定を行う。そして、全ての無線デバイスについて運用通信設定処理が完了した後に、各無線デバイスについて、順次、通信テストを行う。本設定装置１の当該処理により、無線によってのみ通信可能な複数のデバイス（電子機器）について、デバイス設置時などにおける初期無線設定処理を効率的かつ容易に行うことができる。
【００２３】
図１に示すように、本実施の形態例では、店舗に複数台のプリンター３を設置する場合を想定しており、それらプリンター３の設置前に、バックヤードなどの作業スペースにおいて、それら各プリンター３に対して、設置後の無線通信環境に相応した運用時の通信設定を行う場合として説明する。
【００２４】
その通信設定処理を行う設定装置１は、通信用ケーブル４で無線ＡＰ２と接続され、当該無線ＡＰ２を介して各プリンター３と無線通信する。なお、設定装置１と設定処理がなされるプリンター３によって設定システム１００が構成される。
【００２５】
図２は、設定システム１００の機能構成図を例示した図である。設定装置１は、モバイルコンピューター、パッド型端末、スマートフォンなどで構成することができ、図示していないが、ＣＰＵ、ＲＡＭ、ＨＤＤ、表示装置、操作装置、通信インターフェースなどを備える。
【００２６】
機能構成としては、図２に示されるように、記憶部１１、読取部１２、設定部１３、及
び報知部１４を備える。記憶部１１は、予め入力された各プリンター３の設定情報を記憶する。この設定情報は、プリンター３が設置されて運用される際の設定内容であり、無線通信設定に係る情報（以下、通信設定と称す）及びプリンター３自体の動作に関する設定情報（以下、プリンター設定と称す）を含んでいる。
【００２７】
図３は、記憶部１１に記憶される設定情報を例示した図である。図３に示すように、「通信設定」と「プリンター設定」は、「初期ＳＳＩＤ」をキー項目として、プリンター３毎に「デバイス設定」として格納されている。「初期ＳＳＩＤ」は、各プリンター３の出荷時において設定されている初期無線通信設定（以下、初期設定と称す）のＳＳＩＤ（Ｓｅｒｖｉｃｅ  Ｓｅｔ  ＩＤ）であり、ここでは、そのプリンター３の個体ＩＤ（個体識別情報）を含んだ識別情報としている。従って、「初期ＳＳＩＤ」は、プリンター３毎にユニークであり、また、個体ＩＤを含む定形のフォーマットとすることで事前に入手可能であるので、当該設定情報のキー項目として用いられる。
【００２８】
図３に示すように、「通信設定」には、「ＩＰアドレス」、「ＳＳＩＤ」、「セキュリティー設定」、及び「パスワード」が含まれる。「ＩＰアドレス」は、プリンター３毎に固有であり、他の３項目の情報は、プリンター３が設置される無線環境毎に固有である。この実施形態例では、後述するように、２店舗（ＦストアーとＧストアー）に設置するプリンター３を処理対象としており、各店舗内では、同じ「ＳＳＩＤ」、「セキュリティー設定」、及び「パスワード」となっている。
【００２９】
また、記憶部１１は、後述する読取部１２で読み取った各プリンター３の初期設定を記憶する。図４は、記憶部１１に記憶されるプリンター３の初期設定を例示した図である。上述の通り、初期設定において「ＳＳＩＤ」はプリンター３毎にユニークであるので、各プリンター３の初期設定は、「ＳＳＩＤ」をキー項目として格納されている。図４に示すように、初期設定には、通信設定と同様に、「ＩＰアドレス」「セキュリティー設定」、及び「パスワード」の情報が含まれる。また、後述するように、本実施形態では、２機種（機種Ａ、機種Ｂ）のプリンター３を設置することにしているので、各初期設定は、それに相応した内容となっている。
【００３０】
また、当該初期設定データは、読取部１２で読み取った順番に収められ、各プリンター３の処理状況を示す「状態」の情報が付加される。“設定済み”は、通信設定の処理が完了していることを意味し、“設定中”は、設定処理中であることを意味し、“未設定”は設定処理が未だなされておらず待ち状態であることを意味している。
【００３１】
このような情報を記憶する記憶部１１は、ＨＤＤ等で構成される。
【００３２】
次に、図２に戻って、読取部１２は、各プリンター３の初期設定を読み取る部分であり、プリンター３側の初期設定の掲示（表示）形態に合わせて、バーコードリーダー又は撮影装置（カメラ）など、及び制御装置（ＣＰＵ、ＲＡＭ、ＲＯＭ等）で構成される。読取部１２及び記憶部１１は、初期設定を読み取り所定箇所に記憶する。
【００３３】
次に、設定部１３は、プリンター３の通信設定処理を行う部分であり、通信インターフェース、制御装置（ＣＰＵ、ＲＡＭ、ＲＯＭ等）等で構成される。具体的な処理内容については後述する。
【００３４】
また、報知部１４は、設定部１３による通信設定処理の進捗状態をユーザー（設定装置１の操作者）に知らせる部分であり、表示装置（ディスプレイ）、制御装置（ＣＰＵ、ＲＡＭ、ＲＯＭ等）等で構成される。この報知処理には、図４に例示した「状態」の情報が用いられる。
【００３５】
なお、読取部１２、設定部１３、及び報知部１４が行う上述した処理は、ＨＤＤ等に記憶されたプログラムに従ってＣＰＵが動作することによって行われ、当該プログラムが本発明の通信設定プログラムに相当する。また、当該プログラムは、通信設定アプリケーションとして提供されて、設定装置１にインストールされる。
【００３６】
次に、無線ＡＰ２は、無線中継局としてのアクセスポイントであり、設定装置１はここを介して各プリンター３と通信を行う。また、無線ＡＰ２は、有線通信により他の装置から通信設定処理を行える機能を備える。
【００３７】
プリンター３は、前述の通り、設定作業の対象となる電子機器であり、無線通信により他の装置から通信設定処理を行える機能を備える。プリンター３は、一般的なプリンターと同様、印刷媒体に対して印刷を行う機能を備え、通信手段としては無線通信機能のみを備えている。
【００３８】
図２に示すように、プリンター３は、通信設定処理に関連して、無線ＩＦ３１と設定情報掲示部３２を備えている。無線ＩＦ３１は、上述した無線通信機能を担う部分であり、設定情報掲示部３２は、そのプリンター３の上述した初期設定の情報を設定装置１の読取部１２が読み取れるように掲示（表示）する部分である。
【００３９】
設定情報掲示部３２の実施形態としては、初期設定を表した２次元バーコードをプリンター３の筐体に示したもの、当該２次元バーコードを印刷媒体に印刷して出力する手段、又は、当該２次元バーコードをプリンター３の表示部に表示する手段などがある。
【００４０】
以上説明したような構成を備える設定システム１００では、以下のようにして複数のプリンター３についての通信設定処理がなされる。なお、ここでは、２機種（機種Ａ、機種Ｂ）、合わせて８台のプリンター３を、二つの無線通信環境（Ｆストア、Ｇストア）に分けて設置する場合を想定して説明する。
【００４１】
図５は、２機種のプリンター３の処理前の状態を説明するための図である。各機種の各プリンター３は、出荷時において、図５に例示されるように、それぞれの個体ＩＤ（図５の“Ａ−ＸＸＸＸ”、“Ｂ−ＸＸＸＸ”）を有し、図５の「通信設定」として示される内容で無線通信の初期設定がなされている。図５においてプリンター３Ａは機種Ａのプリンターについて、プリンター３Ｂは機種Ｂのプリンターについて示している。
【００４２】
図６は、設置後の無線通信環境について示した図である。図６の（Ａ）は、Ｆストアに設置される５台のプリンター３について、それらの通信設定等を例示している。前述の通り、各プリンター３の「個体ＩＤ」はユニークであり、「通信設定」の「ＳＳＩＤ」、「セキュリティー」、及び「パスワード」については、無線ＡＰ２Ｆと共通の内容になっている。また、「ＩＰアドレス」は機器毎にユニークである。
【００４３】
図６の（Ｂ）は、Ｇストアに設置される３台のプリンター３について、それらの通信設定等を例示している。Ｆストアの場合と同様に、各プリンター３の「個体ＩＤ」はユニークであり、「通信設定」の「ＳＳＩＤ」、「セキュリティー」、及び「パスワード」については、無線ＡＰ２Ｇと共通の内容になっている。また、「ＩＰアドレス」は機器毎にユニークである。
【００４４】
図７は、設定処理の手順を例示したフローチャートである。上述した８台のプリンター３について設置前の通信設定処理を行う場合、まず、設定装置１の操作者は、設定装置１の上述した通信設定アプリケーションを起動する。当該操作により、読取部１２が２次元
バーコードを読み取り可能な状態となるので、操作者は、順次、設定装置１の読取箇所を各プリンター３にかざしてその初期設定等を表す２次元バーコードを読み取る。なお、読み取る順番は、図４に示したテーブルの上から下へ向かう方向の順とする。すなわち、まず、機種Ａについて個体ＩＤの番号順に読み取り、その後、機種Ｂについて個体ＩＤの番号順に読み取る。
【００４５】
また、各プリンター３の２次元バーコードは、上述の通り、いくつかの方法で掲示することができるが、印刷出力する場合、及び、表示部に表示する場合には、操作者はプリンター３の電源を入れることで、２次元バーコードを出力又は表示することができる。これらの場合、プリンター３の設定情報掲示部３２は、出荷後初めて電源が投入された際に、上記出力又は表示を行うように設計される。
【００４６】
読み取られた初期設定は、順次、図４に示したように、読み取った順番に記憶部１１に記憶される。なお、ここでは、図４に示したような各プリンター３の初期設定を記録したものを初期設定テーブルと称することにする。
【００４７】
一方、設定部１３は、読取部１２が上記読取処理を開始したことをトリガーとして動作を開始する。すなわち、全プリンター３について読込処理が終了する前に、設定処理を開始する。設定部１３は、まず、記憶部１１に記憶された初期設定テーブルにアクセスし、その「状態」に示される情報に基づいて、設定処理が未だなされていないプリンター３のうち最も順位が先の（上記読込処理が最も早く行われた）プリンター３を選択する（図７のステップＳ１）。
【００４８】
そして、選択したプリンター３の初期設定を初期設定テーブルから取得し、その内容を無線ＡＰ２に設定する（図７のステップＳ２）。上述した読取処理の順番では、最初の処理で、個体ＩＤ“Ａ−０００１”のプリンター３が選択され、その「ＳＳＩＤ」、「セキュリティー設定」、「パスワード」が無線ＡＰ２に設定される。
【００４９】
当該処理により、無線ＡＰ２と選択したプリンター３との無線通信が可能となるので、設定部１３は、選択したプリンター３の設定処理を実行する（図７のステップＳ３）。具体的には、まず、上記取得した初期設定の「ＳＳＩＤ」をキー項目として、記憶部１１に記憶される当該プリンター３の設定情報を取得する。より具体的には、図３に例示したような各プリンター３の設定情報を記録したものを運用設定テーブルと称することにすると、取得した「ＳＳＩＤ」と運用設定テーブルの「初期ＳＳＩＤ」が一致するレコードから、「通信設定」の「ＩＰアドレス」、「ＳＳＩＤ」、「セキュリティー設定」、及び「パスワード」の情報を取得する。その後、取得した通信設定を、無線ＡＰ２を介して、無線通信によりプリンター３に設定する。上述した読取処理の順番では、最初の処理で、図３の一番上のレコードについて設定処理がなされる。なお、この際に、プリンター設定を合わせて行ってよい。
【００５０】
このようにして、１台のプリンター３について設定処理が終了すると、全ての（ここでは、８台の）プリンター３について設定処理が完了するまで、各プリンター３について、上述したステップＳ１〜Ｓ３までの処理を繰り返し実行する（図７のステップＳ４のＮｏからステップＳ１）。なお、全てのプリンター３について設定処理が完了したか否かの判断、換言すれば、未設定のプリンター３の有無の判断は、上述した初期設定テーブルの「状態」に示される情報に基づいて行う。
【００５１】
一方、報知部１４は、やはり読取部１２による読取処理が開始されるのをトリガーとして動作を開始し、処理の進捗状況を設定装置１の表示装置に表示する。図８は、その表示内容を例示した図である。図８に示すように、表示される内容は、初期設定テーブルの内
容と運用設定テーブルの内容を合わせたものであり、左端の「状態」に示される内容によって、操作者は処理の進捗状況を把握することができる。なお、表示タイミングは、処理の開始後、所定時間間隔としてもよいし、あるいは、初期設定テーブルの記録内容が変更される都度としてもよい。いずれにしても、表示処理時の最新の内容が表示される。
【００５２】
設定部１３の処理に戻って、未設定のプリンター３がなくなり設定処理が完了すると（図７のステップＳ４のＹｅｓ）、設定部１３は、各プリンター３について設定した通信のテスト処理を実行する。
【００５３】
まず、設定部１３は、プリンター３の処理順番を並べ替える処理を行う（図７のステップＳ５）。具体的には、同じ通信環境、すなわち、同じ通信設定であるプリンター３が連続するように、上述した読取処理の順番になっている初期設定テーブルの各レコードをソートする処理を行う。本実施の形態例では、Ｆストアのプリンター３を先に処理し、その後にＧストアのプリンター３を処理するように初期設定テーブルのレコードを並べ替える。なお、当該並べ替え処理を実行しない態様とすることもできる。
【００５４】
次に、設定部１３は、初期設定テーブルの「状態」に示される内容に基づいて、未だテストを行っていないプリンター３のうち最も先の順番のプリンター３を選択する（図７のステップＳ６）。
【００５５】
その後、設定部１３は、無線ＡＰ２の通信設定を行う必要があるか否かを判断する（図７のステップＳ７）。すなわち、選択したプリンター３と同じ通信設定になっているか否かを判断する。具体的には、選択したプリンター３の運用設定テーブルに示される通信設定の内容と、その時点で無線ＡＰ２に設定されている通信設定の内容を比較して行う。テスト処理の最初のプリンター３の場合には、この時点で、無線ＡＰ２の通信設定は、最後に上記設定処理を行ったプリンター３の初期設定となっており、通常の場合、通信設定は必要であると判断される。
【００５６】
当該判断により、無線ＡＰ２の通信設定が必要であると判断された場合には（図７のステップＳ７の「要」）、処理がステップＳ８に移行し、無線ＡＰ２の通信設定が必要ないと判断された場合には（図７のステップＳ７の「否」）、処理がステップＳ９に移行する。
【００５７】
ステップＳ８では、設定部１３は、無線ＡＰ２の通信設定を選択したプリンター３と同じ通信設定に変更する処理を行う。
【００５８】
ステップＳ９では、無線ＡＰ２と選択したプリンター３が無線通信可能な設定となっているので、設定部１３は、通信状態のテストを行う。すなわち、正常に通信が行えるか否かを確認する処理を行う。
【００５９】
このようにして、１台のプリンター３についてテスト処理が終了すると、全ての（ここでは、８台の）プリンター３についてテスト処理が完了するまで、各プリンター３について、上述したステップＳ６〜Ｓ９までの処理を繰り返し実行する（図７のステップＳ１０のＮｏからステップＳ６）。なお、全てのプリンター３についてテスト処理が完了したか否かの判断、換言すれば、未テストのプリンター３の有無の判断は、上述した初期設定テーブルの「状態」に示される情報に基づいて行う。
【００６０】
なお、初期設定テーブルの「状態」の内容は、設定部１３がその処理内容に応じて適宜更新する。
【００６１】
一方、報知部１４は、設定処理の際と同様の内容及び同様のタイミングで、テスト処理の進捗状況を操作者に報知する表示を行う。図９は、その表示内容を例示した図である。図９の（Ａ）は、上述したステップＳ５の並べ替え処理を実行しない場合の状況を示しており、図９の（Ｂ）は、当該並べ替え処理を実行した場合の状況を示している。両方の場合において、表示されるテーブルの「状態」に示す内容で、操作者はテスト処理の進捗状況を把握することができる。
【００６２】
また、両方の場合において、テーブルの上から順番にテスト処理がなされることになるが、図９の（Ａ）の場合には、上から４行目のプリンター３についてテストを行う際に、通信設定が前の内容と異なるので、無線ＡＰ２の設定変更（Ｓ８）を行う必要がある。以下同様に、この並べ替え処理を実行しない場合には、８台全てについてテストを行うために、最初の１回を含めて４回、無線ＡＰ２の設定変更を行う必要がある。
【００６３】
一方、図９の（Ｂ）の場合、すなわち、並べ替え処理を実行した場合には、最初の１回を含めて２回、無線ＡＰ２の設定変更を行えばよい。
【００６４】
設定部１３が全てのプリンター３についてテスト処理を終了すると（図７のステップＳ１０のＹｅｓ）、プリンター３の設置前における通信設定処理が終了する。
【００６５】
以上説明したように、本実施の形態例に係る設定装置１では、プリンター３の初期設定の読込処理が開始されると、読み込まれた初期設定を用いたプリンター３の設定処理が開始されて、全てのプリンター３についての読込処理を待たずに並行して設定処理が進められることになる。また、読込処理がなされ記憶された情報に基づいて、順次、設定処理が行われるので、設定処理に関わらず読込処理を連続して進めることができる。従って、操作者は、設定対象の複数台のプリンター３（無線デバイス）について、２次元バーコードなどを読み取る操作を連続して終了させることができ、また、その操作後は、自動的に設定処理がなされるので、複数台のプリンター３（無線デバイス）についての通信設定処理を効率的かつ容易に行うことができる。
【００６６】
また、設定後のテストも設定装置１によって自動的に行われるので、この点においても作業を容易に行うことができる。
【００６７】
また、テスト処理時に、通信設定が前のプリンター３と同じ場合には無線ＡＰ２の設定を変更せず、通信設定変更に伴う処理時間を短縮することができる。
【００６８】
また、テスト処理時に、同じ通信設定のプリンター３が連続して処理されるように処理順番を変更する処理（ソート処理）を行うことにより、無線ＡＰ２の設定処理の回数を更に減らせるので、より効率的に処理を行うことができる。
【００６９】
また、各プリンター３の初期設定の入力がバーコードの読み込みで行われ、また、そのバーコードが予めプリンター３に付されている又は自動的にプリンター３から出力されるので、この点でも操作が容易である。
【００７０】
また、各プリンター３の初期設定におけるＳＳＩＤが各プリンター３の個体ＩＤを含んでユニークなものとなっているので、設定処理時の混信が防止され、処理を早く実行することができる。
【００７１】
また、処理の進捗状況が、適宜、操作者に報知されるので、安心して作業を進めることができる。
【００７２】
なお、上記実施の形態例では、無線デバイスがプリンターであったが、無線通信可能な電子機器であれば、同様に設定処理を行うことができる。
【００７３】
本発明の保護範囲は、上記の実施の形態に限定されず、特許請求の範囲に記載された発明とその均等物に及ぶものである。
【符号の説明】
【００７４】
１  設定装置、  ２  無線ＡＰ、  ３  プリンター、  ４  ケーブル、  １１  記憶部、  １２  読取部、  １３  設定部、  １４  報知部、  ３１  無線ＩＦ、  ３２  設定情報掲示部、  １００  設定システム
【図２】
2015056778.tif 000003
【図３】
2015056778.tif 000004
【図４】
2015056778.tif 000005
【図５】
2015056778.tif 000006
【図６】
2015056778.tif 000007
【図７】
2015056778.tif 000008
【図８】
2015056778.tif 000009
【図９】
2015056778.tif 000010
【図１】
2015056778.tif 000011